(57)【要約】      （修正有）【課題】テーブル本体が回転している場合であっても、テーブル本体に載せられる載置対象物に電力を供給できるターンテーブルを提供する。【解決手段】ターンテーブル１は、ケーシング２０と、ケーシングの上にベアリングユニット５０を介して回転可能に支持され、ベアリングユニットの回転運動に基づいて回転するテーブル本体１０と、テーブル本体の中心に固定した固定子、及び固定子に対して回転可能な回転子を有する回転端子１２と、回転端子に設けられた電源ケーブル３１ｃ，３１ｄと、を備える。ケーシング２０は、出力軸４１を有するモータ４０、外歯車６１を外周に有し、出力軸に固定された回転伝達部材６０、及び外歯車６１に係合する内歯車５６を内周に有する内部レース５３と内部レースに支持される転動体５４とからなるベアリングユニット５０を内装する。【選択図】図９
0003197791.tif 000002
【実用新案登録請求の範囲】
【請求項１】
出力軸を有するモータと、外歯車を外周に有し、前記出力軸に固定された回転伝達部材と、前記外歯車と係合する内歯車を内周に有する内部レース、及びこの内部レースに支持される転動体とでなるベアリングユニットと、を内装したケーシングにおいて、
このケーシングの上に、前記ベアリングユニットを介して、回転可能に支持されるととともに、このベアリングユニットの回転運動に基づいて回転するテーブル本体と、このテーブル本体の中心に固定した固定子、及びこの固定子に対して回転可能な回転子を有する回転端子と、この回転端子に設けてなる電源ケーブルと、を備え、当該回転端子と、この電源ケーブルとを介して、このテーブル本体に載せた載置対象物に光を照射可能とする、
構成としたターンテーブル。
【請求項２】
前記テーブル本体には、前記回転端子に接続する前記電源ケーブルを引き出すための貫通孔が形成されている請求項１に記載のターンテーブル。
【請求項３】
前記テーブル本体の表面には、前記電源ケーブルを収納するために、前記回転端子の固定子と前記貫通孔とを結ぶ溝が形成されている請求項２に記載のターンテーブル。
【請求項４】
前記回転端子の固定子は、前記テーブル本体の中心に固定されており、
前記貫通孔は、前記テーブル本体の中心とは異なる位置に形成されている請求項２又は３に記載のターンテーブル。
【考案の詳細な説明】
【技術分野】
【０００１】
本考案は、ターンテーブルに関する。
【背景技術】
【０００２】
ターンテーブルは、商品の展示等の用途に利用されている。例えば、特許文献１及び特許文献２には、モータの出力軸と、出力軸に固定されたテーブル本体とを備えるターンテーブルが記載されている。
【先行技術文献】
【特許文献】
【０００３】
【特許文献１】登録実用新案第３０８５２３３号公報
【特許文献２】特開平５−１３２１３４号公報
【考案の概要】
【考案が解決しようとする課題】
【０００４】
ターンテーブルには、電気製品が設置される場合もあり、電気製品を動作させることによって視覚的効果を高めたいという要望があった。しかしながら、特許文献１及び特許文献２に記載のターンテーブルに設置された電気製品に、電源ケーブルを用いて電力を供給しようとすると、テーブル本体の回転に伴って電源ケーブルが絡まるという問題があった。
【０００５】
本考案は、上述の事情の下になされたもので、テーブル本体が回転している場合であっても、テーブル本体に載せられる載置対象物に電力を供給できるターンテーブルを提供することを目的とする。
【課題を解決するための手段】
【０００６】
上述の目的を達成するために、本考案に係るターンテーブルは、
出力軸を有するモータと、外歯車を外周に有し、前記出力軸に固定された回転伝達部材と、前記外歯車と係合する内歯車を内周に有する内部レース、及びこの内部レースに支持される転動体とでなるベアリングユニットと、を内装したケーシングにおいて、このケーシングの上に、前記ベアリングユニットを介して、回転可能に支持されるととともに、このベアリングユニットの回転運動に基づいて回転するテーブル本体と、このテーブル本体の中心に固定した固定子、及びこの固定子に対して回転可能な回転子を有する回転端子と、この回転端子に設けてなる電源ケーブルと、を備え、当該回転端子と、この電源ケーブルとを介して、このテーブル本体に載せた載置対象物に光を照射可能とする、
構成とした。
【０００７】
前記テーブル本体には、前記回転端子に接続する前記電源ケーブルを引き出すための貫通孔が形成されていてもよい。
【０００８】
前記テーブル本体の表面には、前記電源ケーブルを収納するために、前記回転端子の固定子と前記貫通孔とを結ぶ溝が形成されていてもよい。
【０００９】
前記回転端子の固定子は、前記テーブル本体の中心に固定されており、
前記貫通孔は、前記テーブル本体の中心とは異なる位置に形成されていてもよい。
【考案の効果】
【００１０】
本考案によれば、ターンテーブルは、ベアリングユニットの回転運動に基づいて回転するテーブル本体と、テーブル本体の中心に固定した固定子、及び、この固定子に対して回転可能な回転子を有する回転端子と、回転端子に設けてなる電源ケーブルと、を備える。ターンテーブルは、回転端子と、電源ケーブルとを介して、テーブル本体に載せた載置対象物に光を照射可能とする。これにより、テーブル本体が回転している場合であっても、テーブル本体に載せられる載置対象物に電力を供給することができる。
【図面の簡単な説明】
【００１１】
【図１】本考案の実施の形態に係るターンテーブルの斜視図である。
【図２】ターンテーブルの正面図である。
【図３】ターンテーブルの側面図である。
【図４】ターンテーブルの平面図である。
【図５】テーブル本体の斜視図である。
【図６】テーブル本体が１８０°回転した状態における、ターンテーブルの分解斜視図である。
【図７】ターンテーブルの底面図である。
【図８】回転伝達部材とベアリングユニットとが係合する様子を示す斜視図である。
【図９】図４のＡ−Ａ矢視におけるターンテーブルの断面図である。
【考案を実施するための形態】
【００１２】
以下、本考案に係るターンテーブル１について、図１〜図９を用いて説明する。
【００１３】
ターンテーブル１は、図１〜図３に示すように、最上部にテーブル本体１０を備える。ターンテーブル１は、例えば、テーブル本体１０には、商品（載置対象物）を載せて、載置対象物を回転させつつ、展示する。
【００１４】
テーブル本体１０は、略円板形状に形成された部材である。図４及び図５に示すように、テーブル本体１０の中心と外周との間には、上下に貫通する貫通孔１１が形成されている。貫通孔１１には、後述する電源ケーブルが貫通孔１１からずれることを防止するために、電源ケーブルを締め付ける樹脂製のキャップ１１ａが嵌め込まれている。
【００１５】
回転端子１２は、テーブル本体１０の中心に固定されている固定子と、外力を受けることによって固定子に対して回転軸（テーブル本体１０が回転運動するときの回転中心軸）回りに回転可能に設けられている回転子と、から構成されている。
【００１６】
ターンテーブル１は、図６に示すように、テーブル本体１０に加えて、ケーシング２０と、電源ケーブル３０と、モータ４０と、ベアリングユニット５０と、回転伝達部材６０と、を備える。
【００１７】
ケーシング２０は、モータ４０と、ベアリングユニット５０と、回転伝達部材６０と、を収容する。ケーシング２０は、回転軸方向に延びる円筒状に形成されている。ケーシング２０は、上側に向かって開口しており、底板２１によって下側が閉塞している。底板２１の下面には、図７に示すように、滑り止め及びガタつきのために、ゴムから形成されている６つの脚２２が取り付けられている。脚２２は、底板２１の外周に沿って、等間隔に取り付けられている。図６に戻り、ケーシング２０の側面には、電源プラグが差し込まれる２極の電源プラグ受け２３と、テーブル本体１０を回転させる制御スイッチ２４と、がそれぞれ取り付けられる。
【００１８】
電源ケーブル３０は、プラグ受け２３から延びる、ケーシング２０内の電源ケーブルである。具体的には、電源ケーブル３０は、ケーシング２０内の中心部に向かって延びる電源ケーブル３１と、制御スイッチ２４に向かって延びる電源ケーブル３２と、から構成されている。電源ケーブル３１は、ケーシング２０内の中心部で、３つの電源ケーブル３１ａ，３１ｂ，３１ｃに分岐している。
【００１９】
電源ケーブル３１ａ，３１ｂは、それぞれ、モータ４０，制御スイッチ２４と電気的に接続されている。
【００２０】
電源ケーブル３１ｃは、回転端子１２を介して、電源ケーブル３１ｄに接続されている。電源ケーブル３１ｃと電源ケーブル３１ｄとの間に回転端子１２が介設されており、テーブル本体１０とともに載置対象物が回転する際、電源ケーブル３１ｃに対して、電源ケーブル３１ｄは回転する。テーブル本体１０の回転に伴って、電源ケーブル３１ｄは、電源ケーブル３１ｃに対して捻じれない構造となっている。電源ケーブル３１ｄは、テーブル本体１０の溝１３に接着剤、テープ等で固定されている。電源ケーブル３１ｃは、回転端子１２、及び電源ケーブル３１ｄを介して、例えば、テーブル本体１０に載せられる載置対象物に光を照射するための電力を、テーブル本体１０に載せられる照明に供給することができる。
【００２１】
モータ４０は、例えば、ギヤードモータから構成されている。モータ４０は、ねじ等の止め具によって、ケーシング２０の底面に取り付けられている。モータ４０は、出力軸４１を有する。出力軸４１は、上側に向かって延びており、テーブル本体１０の中心に対して偏倚して設けられている。
【００２２】
ベアリングユニット５０は、図８及び図９に示すように、略円環形状のスラストボールベアリングから構成されている。具体的には、ベアリングユニット５０は、図８に示すように、第１外部レース５１（図面上で上側レース）と、第２外部レース５２（図面上で下側レース）と、第１外部レース５１と第２外部レース５２との間に設けられている内部レース５３と、第１外部レース５１と内部レース５３との間に介在している複数の転動体５４と、第２外部レース５２と内部レース５３との間に介在している複数の転動体５５と、から構成されている。ベアリングユニット５０の役割は、内部レース５３が回転伝達部材６０によって回転し、この回転に同期して転動体５４，５５が回転する。一方の転動体５４の回転は、この転動体５４と摺接する第１外部レース５１が（転動体５４との摩擦力で）回転する。従って、第１外部レース５１に接着剤等で固定されているテーブル本体１０が回転する構造である。他方の転動体５５の回転は、ケーシング２０に対して回転する内部レース５３との間の摩擦抵抗回避と、内部レース５３の回転を担持する。
【００２３】
第１外部レース５１と第２外部レース５２とは、環状形状で、断面視して山形形状と倒山形形状とに、それぞれ形成されており、この第１外部レース５１と第２外部レース５２には複数個の転動体５４，５５が、環状に、それぞれ回転自在に配備されている。そして、この環状に配備した転動体５４，５５間に、円板形状の内部レース５３が架承（支持）される。即ち、内部レース５３を、転動体５４，５５で支持し、この内部レース５３の回転を担持しつつ、内部レース５３の回転は、前述した如く、転動体５４に摩擦力を付与し、かつ転動体５５の回転を第２外部レース５２で受け止める構造である。また、後述するように転動体５４の摩擦力で第１外部レース５１が回転する。第１外部レース５１と第２外部レース５２とは、接着剤等により、テーブル本体１０と、ケーシング２０とに、それぞれ固定されている。
【００２４】
内部レース５３には、内周辺の上部に内歯車５６が形成されている。また、内部レース５３には、内周辺の下部に、この内周辺より、内歯車５６に向かって突出し、回転伝達部材６０と近接するガイド板５７が形成されている。ガイド板５７は、回転伝達部材６０の下側に配備されており、回転伝達部材６０の盲動を抑制し、この回転伝達部材６０の回転を内部レース５３に確実に伝達する構造となっている。
【００２５】
回転伝達部材６０は、モータ４０の出力軸４１の回転を、ベアリングユニット５０を介して、テーブル本体１０に伝達する部材である。回転伝達部材６０は、出力軸４１に固定されており、円板形状に形成された部材である。回転伝達部材６０の外周に設けた外歯車６１は、ベアリングユニット５０の内部レース５３に形成されている内歯車５６に噛合する。尚、回転伝達部材６０の外半径Ｌ１は、内部レース５３の内半径Ｌ２よりも小さい。このため内部レース５３の中心に出力軸４１を設けて内部レース５３を回転させる場合よりも、てこの原理により、小さな力で内部レース５３を回転させ得る。
【００２６】
次に、図９を用いて、ターンテーブル１の動作について説明する。ターンテーブル１のテーブル本体１０には、各種の展示物、例えば、載置対象物を載せる。
【００２７】
制御スイッチ２４をオンにすると、モータ４０の出力軸４１が回転し、かつテーブル本体１０、及び載置対象物が回転する。出力軸４１の回転は、回転伝達部材６０に伝達される（回転伝達部材６０が回転する）。
【００２８】
回転伝達部材６０の外歯車６１は、ベアリングユニット５０の内部レース５３に形成されている内歯車５６に噛合する。これによって、回転伝達部材６０の回転が、内部レース５３に伝達されるとともに、転動体５４が回転する。そして、転動体５４との摩擦力で第１外部レース５１が回転する。
【００２９】
第１外部レース５１が回転すると、テーブル本体１０及び載置対象物も回転するので、載置対象物の展示効果を高め得る。第１外部レース５１の回転は、前述の如く、テーブル本体１０及び載置対象物を回転する。従って、載置対象物の回転は、展示効果を高め得る。
【００３０】
また、例えば、ターンテーブル１を、ユーザが指で載置対象物を押すことで、テーブル本体１０に所定以上の荷重が加わった場合には、第１外部レース５１は内部レース５３に対して相対的に回転する。これにより、回転伝達部材６０の回転力は、テーブル本体１０に伝達されず、回転伝達部材６０の回転力の伝達が遮断される。結果として、ユーザの安全性が担保される。
【００３１】
以上、説明したように、ターンテーブル１は、外歯車６１が外周に形成されている回転伝達部材６０と、内歯車５６が内周に形成されている内部レース５３を有するベアリングユニット５０と、を備える。外歯車６１と内歯車５６は係合する。これにより、テーブル本体１０にモータ４０の出力軸４１の回転を確実に伝達できる。また、モータ４０、及び出力軸４１は、ケーシング２０の中心に対して偏倚して設けられている。これにより、てこの原理で、テーブル本体１０の回転に必要な回転力を小さくすることができる。
【００３２】
また、ベアリングユニット５０は、テーブル本体１０に固定されている第１外部レース５１と、ケーシング２０に固定されている第２外部レース５２とを有する。内部レース５３は、第１外部レース５１と第２外部レース５２との間に設けられるとともに、第１外部レース５１及び第２外部レース５２のそれぞれに対して相対的に回転する。これにより、テーブル本体１０に所定以上の荷重が加わった場合には、第１外部レース５１と転動体５４との摩擦力が低減され（摩擦力が無くなり）、内部レース５３に対して相対的に回転する。このため、回転伝達部材６０の回転力は、テーブル本体１０に伝達されない。結果として、ユーザの安全性が担保される。
【００３３】
また、ターンテーブル１は、回転端子１２と、回転端子１２を介して、テーブル本体１０に載せられる載置対象物に光を照射可能とする電源ケーブル３１ｄと、を備える。回転端子１２の回転子に繋いだ電源ケーブル３１ｄが、テーブル本体１０の中心と外周との間に形成されている貫通孔１１を介して、このテーブル本体１０の上方に引き出されている。従って、テーブル本体１０と電源ケーブル３１ｄとが回転しても、回転端子１２の回転子が回転するため、載置対象物に光を照射可能とするには障害とならない。
【００３４】
また、回転端子１２の回転子に接続されたて電源ケーブル３１ｄは、テーブル本体１０の裏面に凹設した溝１３に陥没状に設けられ、テーブル本体１０よりずれない構造となっている。また、前述の如く、電源ケーブル３１ｄは、回転子に接続されることから、テーブル本体１０が回転しても支障がなく、かつテーブル本体１０に載せられる載置対象物に電力を供給できる。
【００３５】
また、この一例では、回転端子１２の固定子は、テーブル本体１０の中心に固定されており、貫通孔１１は、テーブル本体１０の中心とは異なる位置に形成されている。回転端子１２がテーブル本体１０の中心とは異なる場所に固定されていた場合、テーブル本体１０が回転すると、電源ケーブル３１ｃはケーシング２０内で円運動を行う。これに対し、回転端子１２がテーブル本体１０の中心に固定されているため、電源ケーブル３１ｃがケーシング２０内で動くことがなく、電源ケーブル３１ｃに負荷がかからなくなる。
【００３６】
以上、本考案の実施形態について説明したが、本考案は、上記実施形態によって限定されるものではない。例えば、以下のように変形して実施することもできる。
【００３７】
テーブル本体１０の中心部と外周との間には、貫通孔１１が形成されていた。しかしながら、貫通孔１１は、テーブル本体１０の中心部に形成されていてもよい。
【００３８】
溝１３は、テーブル本体１０の下面に凹設したが、溝１３の設計変更は任意であり、テーブル本体１０の上面に凹設することもよいし、曲線状の溝等の変形例も可能である（図示しない）。
【００３９】
場合により、溝１３は省略できる。テーブル本体１０の製造の容易化と、低廉化に寄与できる。
【００４０】
本考案は、本考案の広義の精神と範囲を逸脱することなく、様々な実施形態及び変形が可能とされるものである。上述した実施形態は、本考案を説明するためのものであり、本考案の範囲を限定するものではない。
【符号の説明】
【００４１】
１  ターンテーブル
１０  テーブル本体
１１  貫通孔
１１ａ  キャップ
１２  回転端子
１３  溝
２０  ケーシング
２１  底板
２２  脚
２３  電源プラグ受け
２４  制御スイッチ
３０，３１，３１ａ，３１ｂ，３１ｃ，３１ｄ，３２  電源ケーブル
４０  モータ
４１  出力軸
５０  ベアリングユニット
５１  第１外部レース
５２  第２外部レース
５３  内部レース
５４，５５  転動体
５６  内歯車
５７  ガイド板
６０  回転伝達部材
６１  外歯車
Ｌ１  外半径
Ｌ２  内半径
【図１】
0003197791.tif 000003
【図２】
0003197791.tif 000004
【図３】
0003197791.tif 000005
【図４】
0003197791.tif 000006
【図５】
0003197791.tif 000007
【図６】
0003197791.tif 000008
【図７】
0003197791.tif 000009
【図８】
0003197791.tif 000010
【図９】
0003197791.tif 000011
【手続補正書】
【提出日】平成27年4月7日(2015.4.7)
【手続補正１】
【補正対象書類名】明細書
【補正対象項目名】０００６
【補正方法】変更
【補正の内容】
【０００６】
上述の目的を達成するために、本考案に係るターンテーブルは、
出力軸を有するモータと、
外歯車を外周に有し、前記出力軸に固定された回転伝達部材と、
前記外歯車と係合する内歯車を内周に有する内部レース、及びこの内部レースに支持される転動体とでなるベアリングユニットと、
前記モータと前記回転伝達部材と前記ベアリングユニットとを内装したケーシングと、
このケーシングの上に設けられ、前記ベアリングユニットを介して、回転可能に支持されるととともに、このベアリングユニットの回転運動に基づいて回転するテーブル本体と、
このテーブル本体の中心に固定した固定子、及びこの固定子に対して回転可能な回転子を有する回転端子と、
この回転端子に設けてなる電源ケーブルと、
を備え、
当該回転端子と、この電源ケーブルとを介して、このテーブル本体に載せた載置対象物に光を照射可能とする構成とした。
【手続補正２】
【補正対象書類名】実用新案登録請求の範囲
【補正対象項目名】全文
【補正方法】変更
【補正の内容】
【実用新案登録請求の範囲】
【請求項１】
出力軸を有するモータと、
外歯車を外周に有し、前記出力軸に固定された回転伝達部材と、
前記外歯車と係合する内歯車を内周に有する内部レース、及びこの内部レースに支持される転動体とでなるベアリングユニットと、
前記モータと前記回転伝達部材と前記ベアリングユニットとを内装したケーシングと、
このケーシングの上に設けられ、前記ベアリングユニットを介して、回転可能に支持されるととともに、このベアリングユニットの回転運動に基づいて回転するテーブル本体と、
このテーブル本体の中心に固定した固定子、及びこの固定子に対して回転可能な回転子を有する回転端子と、
この回転端子に設けてなる電源ケーブルと、
を備え、
当該回転端子と、この電源ケーブルとを介して、このテーブル本体に載せた載置対象物に光を照射可能とする構成としたターンテーブル。
【請求項２】
前記テーブル本体には、前記回転端子に接続する前記電源ケーブルを引き出すための貫通孔が形成されている請求項１に記載のターンテーブル。
【請求項３】
前記テーブル本体の表面には、前記電源ケーブルを収納するために、前記回転端子の固定子と前記貫通孔とを結ぶ溝が形成されている請求項２に記載のターンテーブル。
【請求項４】
前記回転端子の固定子は、前記テーブル本体の中心に固定されており、
前記貫通孔は、前記テーブル本体の中心とは異なる位置に形成されている請求項２又は３に記載のターンテーブル。